(57)【特許請求の範囲】
【請求項１】
リング状のコア又はコア内蔵ケースの外周面に一対の導線を巻回して成るコモンモードチョークコイルと、該コモンモードチョークコイルを保持固定する絶縁性の台座を備えた台座付コモンモードチョークコイルであって、
上記台座は、上記コモンモードチョークコイルが表面側に配置される基板を有し、該基板に、上記導線の各端部に対応させて第１の切欠及び第２の切欠と、基板の裏面に形成され、上記第１の切欠及び第２の切欠間を繋ぐ凹溝を設けて成り、上記凹溝の深さを導線端部の直径よりも大きく成し、以て、上記凹溝に導線端部を挿通した際に、導線端部が凹溝外に突出しないよう成されていることを特徴とする台座付コモンモードチョークコイル。
【請求項２】
上記台座の基板表面から上方に延設される立設板を設けると共に、該立設板に上記コモンモードチョークコイルのコア又はコア内蔵ケースを挿通し、上記立設板が一対の導線の間に介在するよう配置したことを特徴とする請求項１に記載の台座付コモンモードチョークコイル。
【発明の詳細な説明】
【技術分野】
【０００１】
この発明は、リング状のコア又はコア内蔵ケースの外周面に一対の導線を巻回して成るコモンモードチョークコイルと、該コモンモードチョークコイルを保持固定する台座を備えた台座付コモンモードチョークコイルに関する。
【背景技術】
【０００２】
コモンモードチョークコイルは、フェライト、アモルファス等の磁性材料から成り、絶縁外装を施したリング状のコアや、コアを内蔵したリング状の絶縁性コアケースの外周面に一対の導線を巻回して成る電子部品であり、電源線等を通じるノイズを遮断・低減するためのノイズフィルタの構成部品として広く用いられている。
【０００３】
ところで従来より、回路基板等への取付時の便宜を図るため、上記コモンモードチョークコイルを台座に固定して成る台座付コモンモードチョークコイルが用いられている。
図１８は、斯かる従来の台座付コモンモードチョークコイルの一例を示すものであり、該台座付コモンモードチョークコイル70は、コア（図示省略）を内蔵したリング状の絶縁性コアケース72の外周面に一対の導線74，76を巻回して成るコモンモードチョークコイル78と、孔（図示省略）を形成した基板より成る絶縁性の台座80を備えている。
【０００４】
また、上記コアケース72の外周面には、該コアケース72を２領域に区画する一対の凸状部82，82が対向形成されると共に、上記一対の凸状部82，82間に懸架され、コアケース72に囲繞された空間を２領域に区画する絶縁板84が設けられている。
一方の導線74は一方の領域（図１８の左側の領域）に配置され、他方の導線76は他方の領域（図１８の右側の領域）に配置され、上記凸状部82，82及び絶縁板84によって一対の導線74，76間の絶縁性が確保されるようになっている。
【０００５】
上記コモンモードチョークコイル78は、一対の導線74，76の端部74ａ，76ａを台座80の表面側から孔に挿通して裏面側に導出すると共に、コモンモードチョークコイル78のを台座80表面に載置した状態で、樹脂等の接着材86を介して台座80に固定していた。
【発明の概要】
【発明が解決しようとする課題】
【０００６】
従来の台座付コモンモードチョークコイル70は、上記の通り、コモンモードチョークコイル78のコアケース72と台座80とを接着材84を介して固定していたが、斯かる接着材84を介した固定の場合、コモンモードチョークコイル78と台座80の位置ずれが発生し易く、外形寸法や部品固定位置にバラツキが生じていた。
また、接着材84を塗布する工程が必要であり、固定作業が煩雑であった。
【０００７】
本発明は、従来の上記問題点に鑑みて案出されたものであり、その目的とするところは、接着材を用いることなく、コモンモードチョークコイルと台座とを、その外形寸法や部品固定位置にバラツキが生じることなく簡単に固定することができる台座付コモンモードチョークコイルを実現することにある。
【課題を解決するための手段】
【０００８】
上記の目的を達成するために、本発明に係る台座付コモンモードチョークコイルは、
リング状のコア又はコア内蔵ケースの外周面に一対の導線を巻回して成るコモンモードチョークコイルと、該コモンモードチョークコイルを保持固定する絶縁性の台座を備えた台座付コモンモードチョークコイルであって、
上記台座は、上記コモンモードチョークコイルが表面側に配置される基板を有し、該基板に、上記導線の各端部に対応させて第１の切欠及び第２の切欠と、基板の裏面に形成され、上記第１の切欠及び第２の切欠間を繋ぐ凹溝を設けて成り、上記凹溝の深さを導線端部の直径よりも大きく成し、以て、上記凹溝に導線端部を挿通した際に、導線端部が凹溝外に突出しないよう成されていることを特徴とする。
【０００９】
また、請求項２に記載の台座付コモンモードチョークコイルは、請求項１に記載のコモンモードチョークコイルにおいて、
上記台座の基板表面から上方に延設される立設板を設けると共に、該立設板に上記コモンモードチョークコイルのコア又はコア内蔵ケースを挿通し、上記立設板が一対の導線の間に介在するよう配置したことを特徴とする。
【発明の効果】
【００１０】
本発明に係る台座付コモンモードチョークコイルにあっては、台座を構成する基板に、導線の各端部に対応させて第１の切欠及び第２の切欠と、基板の裏面に形成され、上記第１の切欠及び第２の切欠間を繋ぐ凹溝を設けたので、台座の基板表面側に配置したコモンモードチョークコイルの一対の導線の各端部を、第１の切欠−凹溝−第２の切欠−第１の切欠の順に挿通して基板に巻き付けることにより、接着材を用いることなく簡単にコモンモードチョークコイルと台座とを固定することができ、接着材の使用に起因して発生する外形寸法や部品固定位置のバラツキを生じることなく、コモンモードチョークコイルと台座とを固定することができる。
また、上記凹溝の深さを導線端部の直径よりも大きく成し、以て、上記凹溝に導線端部を挿通した際に、導線端部が凹溝外に突出しないよう成されているので、台座付コモンモードチョークコイルを回路基板等に取付ける際に、凹溝に挿通した導線端部が邪魔になることがない。
【００１１】
請求項２に記載の台座付コモンモードチョークコイルの如く、台座の基板表面から上方に延設される立設板を設けると共に、該立設板に上記コモンモードチョークコイルのコア又はコア内蔵ケースを挿通し、上記立設板が一対の導線の間に介在するよう配置した場合には、コモンモードチョークコイルのコア又はコア内蔵ケースに巻回された一対の導線同士が接触して絶縁性が損なわれることをを防止できる。
【発明を実施するための形態】
【００１２】
以下、添付図面に基づいて、本発明に係るコモンモードチョークコイル用台座を説明する。
図１は本発明に係る台座付コモンモードチョークコイル10を示す斜視図、図２は同正面図、図３は同平面図、図４は同底面図、図５は同右側面図、図６は本発明に係る台座付コモンモードチョークコイル10を構成する台座14を示す斜視図、図７は同正面図、図８は同平面図、図９は同底面図、図１０は同右側面図、図１１は図８のＡ−Ａ’断面図、図１２は図８のＢ−Ｂ’断面図、図１３は図８のＣ−Ｃ’切断部端面図である。
【００１３】
本発明に係る台座付コモンモードチョークコイル10は、コモンモードチョークコイル12と、該コモンモードチョークコイル12を保持・固定する絶縁性の台座14を備えることを基本構成としている。
【００１４】
上記コモンモードチョークコイル12は、絶縁外装（図示省略）を施したリング状のコア16の外周面に一対の導線18，20を巻回して成る。
上記コア16は、フェライト、アモルファス等の磁性材料をリング状に成型して構成されており、その表面に樹脂等の絶縁材料をコーティングしている。
【００１５】
尚、絶縁外装を施したリング状のコア16を用いた上記コモンモードチョークコイル12以外に、コアを内蔵したリング状の絶縁性のコアケースを用い、該絶縁性コアケースの外周面に一対の導線を巻回して成るコモンモードチョークコイルにも本発明は適用可能である。
【００１６】
また、上記導線18，20は、可撓性を有する銅線等の導電材料で構成されている。図１及び図３に示すように、一対の導線18，20は、コア16外周面の異なる領域に巻回されることにより接触することなく相互に絶縁されている。
【００１７】
上記台座14は、略隅丸矩形状と成された樹脂等より成る絶縁性の基板22を有しており、図１等に示すように、該基板22の表面22ａ側に上記コモンモードチョークコイル12が配置されるものである。
また、該基板22の表面22ａの略中央位置から垂直上方に立設板24が延設されている。
図６に示すように、上記立設板24の両側には、基板22の表面22ａから所定高さ突出する凸部26が形成されている。また、上記立設板24と直交する方向の基板22の表面22ａには凹部28が形成されている。
【００１８】
図６、図８、図９等に示すように、上記基板22の四隅には、コモンモードチョークコイル12の導線18の端部18ａ，18ｂ、導線20の端部20ａ，20ｂを巻付固定するため、導線18，20の各端部18ａ，18ｂ，20ａ，20ｂに対応させて第１の切欠30及び第２の切欠32と、基板22の裏面22ｂに形成され、上記第１の切欠30及び第２の切欠32間を繋ぐ凹溝34が設けられている。
【００１９】
以下において、添付図面に基づいて、上記コモンモードチョークコイル12の台座14への固定手順を、導線18の端部18ａを用いて説明する。
図１４に示すように、台座14の立設板24に、リング状のコア16を挿通し、上記立設板24が一対の導線18，20の間に介在するよう配置すると共に、コア16を台座14の凸部26上に配置した状態で、基板22の表面22ａ側から導線18の端部18ａを第１の切欠30に挿通して、基板22の裏面22ｂ側に導出する。
上記の通り、台座14の立設板24を、コア16に巻回された一対の導線18，20の間に介在するよう配置することにより、導線18，20同士が接触して絶縁性が損なわれることをを防止できる。
【００２０】
次に、図１５に示すように、上記端部18ａを、第１の切欠30に接続された基板裏面22ｂの凹溝34（図９参照）に挿通させた状態で、上記凹溝34を介して第１の切欠30と繋がれた第２の切欠32内へと引き出す。  
尚、上記凹溝34の深さは、導線端部18ａ，18ｂ，20ａ，20ｂの直径よりも大きく成されており、凹溝34に導線端部18ａ，18ｂ，20ａ，20ｂを挿通した際に、導線端部18ａ，18ｂ，20ａ，20ｂが凹溝34外に突出しない深さを有している（図２、図５）ので、本発明に係る台座付コモンモードチョークコイル10を図示しない回路基板等に取付ける際に、凹溝34に挿通した導線端部18ａ，18ｂ，20ａ，20ｂが邪魔になることがない。
【００２１】
次に、図１６に示すように、第２の切欠32内の端部18ａを上方に折り曲げて基板22の表面22ａ側に導出する。
【００２２】
次に、図１７に示すように、基板22の表面22ａに端部18ａを巻き付けた後、再び、第１の切欠30内に挿通して基板22の裏面22ｂ側に導出する。
この結果、導線18の端部18ａが、第１の切欠30、凹溝34及び第２の切欠32を介して基板22に巻き付けられ、図１、図４等に示したコモンモードチョークコイル12と台座14との固定状態が実現されるのである。
尚、上記の通り、第１の切欠30には導線18の端部18ａが２回挿通されるため、１回だけ挿通される第２の切欠32より、切欠深さが大きく成されている。
【００２３】
本発明に係る台座付コモンモードチョークコイル10にあっては、台座14を構成する基板22に、導線18，20の各端部18ａ，18ｂ，20ａ，20ｂに対応させて第１の切欠30及び第２の切欠32と、基板22の裏面22ｂに形成され、上記第１の切欠30及び第２の切欠32間を繋ぐ凹溝34を設けたので、台座14の基板表面22ａ側に配置したコモンモードチョークコイル12の一対の導線18，20の各端部18ａ，18ｂ，20ａ，20ｂを、上記の通り、第１の切欠30−凹溝34−第２の切欠32−第１の切欠30の順に挿通して基板22に巻き付けることにより、接着材を用いることなく簡単にコモンモードチョークコイル12と台座14とを固定することができ、接着材の使用に起因して発生する外形寸法や部品固定位置のバラツキを生じることなく、コモンモードチョークコイル12と台座14とを固定することができる。
【図面の簡単な説明】
【００２４】
【図１】本発明に係る台座付コモンモードチョークコイルを示す斜視図である。
【図２】本発明に係る台座付コモンモードチョークコイルを示す正面図である。
【図３】本発明に係る台座付コモンモードチョークコイルを示す平面図である。
【図４】本発明に係る台座付コモンモードチョークコイルを示す底面図である。
【図５】本発明に係る台座付コモンモードチョークコイルを示す右側面図である。
【図６】本発明に係る台座付コモンモードチョークコイルを構成する台座を示す斜視図である。
【図７】本発明に係る台座付コモンモードチョークコイルを構成する台座を示す正面図である。
【図８】本発明に係る台座付コモンモードチョークコイルを構成する台座を示す平面図である。
【図９】本発明に係る台座付コモンモードチョークコイルを構成する台座を示す底面図である。
【図１０】本発明に係る台座付コモンモードチョークコイルを構成する台座を示す右側面図である。
【図１１】図８のＡ−Ａ’断面図である。
【図１２】図８のＢ−Ｂ’断面図である。
【図１３】図８のＣ−Ｃ’切断部端面図である。
【図１４】本発明に係るコモンモードチョークコイルの台座への固定方法を示す第１の説明である。
【図１５】本発明に係るコモンモードチョークコイルの台座への固定方法を示す第２の説明である。
【図１６】本発明に係るコモンモードチョークコイルの台座への固定方法を示す第３の説明である。
【図１７】本発明に係るコモンモードチョークコイルの台座への固定方法を示す第４の説明である。
【図１８】従来の台座付コモンモードチョークコイルの一例を示す正面図である。
【符号の説明】
【００２５】
10    台座付コモンモードチョークコイル
12    コモンモードチョークコイル
14    台座
16    コア
18    導線
18ａ  導線の端部
18ｂ  導線の端部
20    導線
20ａ  導線の端部
20ｂ  導線の端部
22    基板
22ａ  基板の表面
22ｂ  基板の裏面
24    立設板
26    凸部
28    凹部
30    第１の切欠
32    第２の切欠
34    凹溝
【図１】
0006393578.tif 000002
【図２】
0006393578.tif 000003
【図３】
0006393578.tif 000004
【図４】
0006393578.tif 000005
【図５】
0006393578.tif 000006
【図６】
0006393578.tif 000007
【図７】
0006393578.tif 000008
【図８】
0006393578.tif 000009
【図９】
0006393578.tif 000010
【図１０】
0006393578.tif 000011
【図１１】
0006393578.tif 000012
【図１２】
0006393578.tif 000013
【図１３】
0006393578.tif 000014
【図１４】
0006393578.tif 000015
【図１５】
0006393578.tif 000016
【図１６】
0006393578.tif 000017
【図１７】
0006393578.tif 000018
【図１８】
0006393578.tif 000019